(57)【特許請求の範囲】
【請求項１】
有機ＥＬ膜（４０）を陽極（３０）と陰極（５０）とで挟んでなる有機ＥＬ素子（６０）における前記陰極（５０）の反射を利用してミラー機能を持たせるようにした有機ＥＬ表示装置において、
前記有機ＥＬ膜（４０）は、分光透過率の波長依存性が不均一である有機層（４１）を有しており、
ミラー機能を持つ領域のうち前記有機ＥＬ素子（６０）によって表示が行われる表示領域（１１０）のみに前記有機ＥＬ膜（４０）が形成されて表示可能な素子構成となっているとともに、
前記表示領域（１１０）以外のミラー機能を持たせるとともに平坦な構造を持つ非表示ミラー領域（１２０）には、前記分光透過率の波長依存性が不均一である有機層（４１）と前記陰極（５０）とが積層されて形成されていることを特徴とする有機ＥＬ表示装置。
【請求項２】
前記分光透過率の波長依存性が不均一である有機層（４１）とは、当該有機層（４１）を白色光が透過したとき、その透過後の光と透過前の光との色差が５以上変化するものであることを特徴とする請求項１に記載の有機ＥＬ表示装置。
【請求項３】
前記分光透過率の波長依存性が不均一である有機層（４１）とは、可視光領域における分光透過率のうち最小値が最大値の９０％以下であるものであることを特徴とする請求項１に記載の有機ＥＬ表示装置。
【請求項４】
前記分光透過率の波長依存性が不均一である有機層（４１）とは、前記有機ＥＬ膜（４０）のうちの正孔注入層（４１）であることを特徴とする請求項１ないし３のいずれか１つに記載の有機ＥＬ表示装置。
【請求項５】
前記分光透過率の波長依存性が不均一である有機層（４１）とは、銅フタロシアニンであることを特徴とする請求項１ないし４のいずれか１つに記載の有機ＥＬ表示装置。
【請求項６】
前記表示領域（１１０）に形成された有機ＥＬ素子（６０）のみが、封止部材（７０）によって封止されており、
前記封止部材（７０）はその周辺部を前記表示領域（１１０）に接続するものであり、この封止部材が接続されている部位には、前記陰極（５０）と前記有機層（４１）が存在していることを特徴とする請求項１ないし５のいずれか１つに記載の有機ＥＬ表示装置。
【発明の詳細な説明】
【技術分野】
【０００１】
本発明は、有機ＥＬ（エレクトロルミネッセンス）素子における陰極の反射を利用してミラー機能を持たせるようにした有機ＥＬ表示装置に関する。
【背景技術】
【０００２】
従来、自動車の後写鏡（バックミラー）の反射面を半透過鏡で構成し、その背後に液晶モニター等の表示器を配置したもの、いわゆるモニター内蔵後写鏡が提案されている。
【０００３】
このものは、液晶モニター等の表示器をオン状態とすることにより、半透過鏡を通して各種情報を表示し、液晶モニター等の表示器をオフ状態とすることにより、通常の後写鏡として機能させるようにしたものである。
【０００４】
図６は、この種のモニター内蔵後写鏡を自動車のインナーミラーＪ１００として構成した場合における一般的な従来構造を示す図であり、（ａ）は正面図、（ｂ）は概略断面図である。
【０００５】
このインナーミラーＪ１００は、ミラーハウジング１０を備え、このミラーハウジング１０の前面開口部１１には、半透過鏡Ｊ２０がはめ込まれている。半透過鏡Ｊ２０の背後には板状のスペーサＪ３０が半透過鏡Ｊ２０と接触した状態で配置されている。このスペーサＪ３０は、たとえば黒色のものである。
【０００６】
そして、スペーサＪ３０の一部には開口部Ｊ３１が形成されており、スペーサＪ３０の背後に配置された液晶モニター等からなる表示器Ｊ６０の画面Ｊ６１（図６（ｂ）中の一点鎖線の領域）が、このスペーサＪ３０の開口部Ｊ３１を通して半透過鏡Ｊ２０に対面している。ここで、液晶モニター等は、たとえばＴＦＴ−ＬＣＤなどが用いられる。
【０００７】
以上の構成によれば、図６（ａ）に示されるように、スペーサＪ３０の開口部Ｊ３１は、表示器Ｊ６０によって表示が行われる表示領域であり、この表示領域Ｊ３１以外のミラー機能を持たせる領域は、非表示ミラー領域１２０であり、ここでは、背後にスペーサＪ３０が配置されている領域である。
【０００８】
そして、このモニター内蔵後写鏡Ｊ１００は、液晶モニター等の表示器Ｊ６０がオフ状態のときは、半透過鏡Ｊ２０の全面が後写鏡として機能し、後方視界像を反射して運転者の目に到達させるようになっている。すなわち、表示領域Ｊ３１および非表示ミラー領域１２０ともに後写鏡として機能する。
【０００９】
一方、液晶モニター等の表示器Ｊ６０をオン状態にすると、画面Ｊ６１に画像が表示され、この画像は開口部Ｊ３１を通り、半透過鏡Ｊ２０を透過して運転者等の目に到達する。このとき、画面Ｊ６１以外の部分すなわち非表示ミラー領域１２０は、後写鏡として機能し、後方視界像を反射して運転者の目に到達させる。
【００１０】
ここで、上記図６に示されるモニター内蔵後写鏡Ｊ１００は、運転者から見て、スペーサＪ３０が背後にある非表示ミラー領域１２０と、スペーサＪ３０が背後に無く表示器Ｊ６０の画面Ｊ６１がある表示領域としての開口部Ｊ３１とでは、光沢や色が異なり、視覚上明確に区別されてしまうため、表示器Ｊ６０をオフした状態では、後方視認時に違和感を感じるという問題があった。
【００１１】
この問題を改善するために、図７（ａ）、（ｂ）に示されるように、ぼかし部１３０を設けたものが提案されている。なお、図７において、（ａ）は正面図、（ｂ）は概略断面図であり、この図７に示されるものは、特許文献１に記載されている。
【００１２】
このものは、表示器Ｊ６０の画面Ｊ６１を除いた部分すなわち非表示ミラー領域１２０における半透過鏡Ｊ２０の鏡面（内面）上に黒色塗装膜Ｊ４０を形成し、かつ画面Ｊ６１との境界部分にドットまたはストライプ状の塗装膜面の密度を除変させたぼかし部１３０を設けることによって、画面Ｊ６１部分と非表示ミラー領域１２０との境界を目立たなくしている。
【００１３】
しかしながら、上記手法では、ぼかし部１３０があるため、ぼかし部１３０の近傍部における画面Ｊ６１において、表示内容が見にくくなるという問題がある。
【００１４】
また、上記図６に示されるものにも当てはまることであるが、画面Ｊ６１の前面に半透過鏡Ｊ２０が配置されており、各種情報の視認性を確保するためには、表示器Ｊ６０の表示輝度を高くする必要がある。そのため、表示器Ｊ６０として液晶モニターを使用した場合、光源の寿命を短くしてしまうと言う問題がある。
【００１５】
一方、従来より、有機ＥＬ素子における陰極の反射を利用してミラー機能を持たせるようにしたミラー機能を備える有機ＥＬ表示装置が、提案されている（たとえば、特許文献２参照）。
【００１６】
有機ＥＬ素子は、透明なガラス基板上にて有機ＥＬ膜を陽極と陰極とで挟んでなるものであるが、この陰極としてアルミニウムなどが用いられるため、ミラー機能を備える有機ＥＬ表示装置では、このアルミニウムのなど反射を利用し、有機ＥＬ素子を使用しないときに、ミラーとして機能させようとしたものである。
【００１７】
ただし、上記特許文献２では、ミラー面すなわちミラーとなるガラス基板の全面に有機ＥＬ素子を形成しているとともに、この有機ＥＬ素子をカバーして水分などから保護するための封止構造がミラー面の全面に必要となり、コスト的に高くなってしまう。
【特許文献１】特開平７−２６７００２号公報
【特許文献２】特開２００１−１４８２９０号公報
【発明の開示】
【発明が解決しようとする課題】
【００１８】
ところで、本発明者らは、有機ＥＬ素子の開発を試みており、半透過鏡の一部を表示領域とし、この表示領域に配置する表示器として有機ＥＬ素子を用いた有機ＥＬ表示装置の開発を試みた。
【００１９】
図８（ａ）、（ｂ）は、そのような本発明者らが試作した、インナーミラーとしてのミラー機能を備える有機ＥＬ表示装置Ｊ２００の概略構成を示す図であり、（ａ）は正面図、（ｂ）は概略断面図である。
【００２０】
この有機ＥＬ表示装置Ｊ１００では、ミラーハウジング１０の前面開口部１１に半透過鏡Ｊ２０がはめ込まれ、半透過鏡Ｊ２０の背後にはたとえば黒色の板状のスペーサＪ３０が半透過鏡Ｊ２０と接触した状態で配置されている。
【００２１】
そして、スペーサＪ３０の一部に形成された開口部Ｊ３１が形成されており、スペーサＪ３０の背後に配置された有機ＥＬ素子６０が、このスペーサＪ３０の開口部Ｊ３１を通して半透過鏡Ｊ２０に対面している。
【００２２】
以上の構成においては、図８（ａ）に示されるように、スペーサＪ３０の開口部Ｊ３１は、有機ＥＬ素子６０によって表示が行われる表示領域であり、この表示領域Ｊ３１以外のミラー機能を持たせる領域は、非表示ミラー領域１２０であり、ここでは、背後にスペーサＪ３０が配置されている領域である。
【００２３】
そして、この有機ＥＬ表示装置Ｊ２００では、有機ＥＬ素子６０をオン状態とすることにより、半透過鏡Ｊ２０を通して各種情報を表示し、オフ状態とすることにより、通常の後写鏡として機能させる。ここで、オフ状態のときは、後方視界像は、スペーサＪ３０の開口部Ｊ３１から透明な陽極および有機ＥＬ膜を透過して、陰極５０にて反射され、運転者の目に到達するようになる。
【００２４】
しかしながら、この有機ＥＬ表示装置Ｊ２００の場合、本発明者らの検討によれば、図９に示されるような視認性の悪化が生じる。図９は、上記試作品における視認性悪化の原因を模式的に示す断面図である。
【００２５】
図９に示されるように、有機ＥＬ素子６０から発せられる表示画像ｄは、半透過鏡Ｊ２０の内面Ｊ２２で反射し、この内面Ｊ２２に写った反射像が有機ＥＬ素子６０の陰極５０に反射して虚像ｄ´として投影される。すると、運転者の目Ｋ１には表示画像が二重に見えてしまい視認性を悪くしてしまう。
【００２６】
また、上記図６に示されるモニター内蔵後写鏡Ｊ１００の場合と同様に、運転者から見て、スペーサＪ３０が背後にある非表示ミラー領域１２０と、スペーサＪ２０が背後に無く有機ＥＬ素子６０がある表示領域としての開口部Ｊ３１とでは、光沢や色が異なり、視覚上明確に区別されてしまうため、有機ＥＬ素子６０をオフした状態では、後方視認時に違和感を感じる。
【００２７】
本発明は上記したような事情に鑑みてなされたものであり、全面にミラー機能を持たせるとともに一部を表示領域として用いる表示装置において、安価な構成を実現するとともに、表示領域と非表示ミラー領域との境界の違和感を低減することを目的とする。
【課題を解決するための手段】
【００３３】
上記目的を達成するため、請求項１に記載の発明では、有機ＥＬ膜（４０）を陽極（３０）と陰極（５０）とで挟んでなる有機ＥＬ素子（６０）における陰極（５０）の反射を利用してミラー機能を持たせるようにした有機ＥＬ表示装置において、有機ＥＬ膜（４０）は、分光透過率の波長依存性が不均一である有機層（４１）を有しており、ミラー機能を持つ領域のうち有機ＥＬ素子（６０）によって表示が行われる表示領域（１１０）のみに有機ＥＬ膜（４０）が形成されて表示可能な素子構成となっているとともに、表示領域（１１０）以外のミラー機能を持たせるとともに平坦な構造を持つ非表示ミラー領域（１２０）には、分光透過率の波長依存性が不均一である有機層（４１）と陰極（５０）とが積層されて形成されていることを特徴としている。
【００３４】
それによれば、ミラー機能を持つ領域のうち有機ＥＬ素子（６０）によって表示が行われる表示領域（１１０）のみに有機ＥＬ膜（４０）を形成すればよく、表示領域（１１０）以外の領域には有機ＥＬ膜（４０）のうちの分光透過率の波長依存性が不均一である有機層（４１）を形成すればよい。
【００３５】
そのため、ミラー機能を持つ領域の全面に有機ＥＬ膜（４０）を形成する場合に比べて安価な構成とすることができる。
【００３６】
また、ミラー機能を持つ領域の全面において陰極（５０）自体が鏡面として機能するため、表示領域（１１０）と非表示ミラー領域（１２０）との境界の違和感は、ほとんどなくなる。
【００３７】
また、有機ＥＬ膜（４０）が、分光透過率の波長依存性が不均一である有機層（４１）を有している場合、この有機層（４１）は、透過率が波長により異なるもので色付きの層となる。
【００３８】
有機ＥＬ膜（４０）を形成した表示領域（１１０）と陰極（５０）のみを形成した非表示ミラー領域（１２０）とに分けた場合、これら両領域では、色の違いが生じるため、これら両領域の境界に違和感が生じる場合がある。
【００３９】
このような場合、本発明のように、有機ＥＬ膜（４０）を構成する層の中で色の違いの原因となる分光透過率の波長依存性がある有機層（４１）を、ミラー機能を持つ領域の全面に形成することにより、上記両領域の境界の違和感は改善される。
【００４０】
したがって、本発明によれば、全面にミラー機能を持たせるとともに一部を表示領域（１１０）として用いる表示装置において、安価な構成を実現するとともに、表示領域（１１０）と非表示ミラー領域（１２０）との境界の違和感を低減することができる。
【００４１】
請求項２に記載の発明では、請求項１に記載の有機ＥＬ表示装置において、分光透過率の波長依存性が不均一である有機層（４１）とは、当該有機層（４１）を白色光が透過したとき、その透過後の光と透過前の光との色差が５以上変化するものであることを特徴としている。
【００４２】
これは、人間の視覚特性を考慮したものである。一般的に、色差が５以上変化すると人間の視覚特性上、光の色の違いが認識できる。
【００４３】
そこで、本発明のように、上記色差が５以上変化する有機層（４１）をミラー機能を持つ領域の全面に形成することにより、表示領域（１１０）と非表示ミラー領域（１２０）との色差を５以下にすることができ、その境界が認識されなくなる。
【００４４】
請求項３に記載の発明では、請求項１記載の有機ＥＬ表示装置において、分光透過率の波長依存性が不均一である有機層（４１）とは、可視光領域における分光透過率のうち最小値が最大値の９０％以下であるものであることを特徴としている。
【００４５】
本発明も、人間の視覚特性を考慮したものである。本発明者らの検討によれば、可視光領域における分光透過率のうち最小値が最大値の９０％以下であると、透過後の光と透過前の光との色差が５以上に大きくなる。
【００４６】
そのため、可視光領域における分光透過率のうち最小値が最大値の９０％以下である有機層（４１）をミラー機能を持つ領域の全面に形成することにより、表示領域（１１０）と非表示ミラー領域（１２０）との色差を５以下にすることができ、その境界が認識されなくなる。
【００４７】
ここで、請求項４に記載の発明のように、請求項１〜請求項３に記載の有機ＥＬ表示装置においては、分光透過率の波長依存性が不均一である有機層（４１）とは、有機ＥＬ膜（４０）のうちの正孔注入層（４１）であるものにできる。
【００４８】
また、請求項５に記載の発明のように、請求項１〜請求項４に記載の有機ＥＬ表示装置においては、分光透過率の波長依存性が不均一である有機層（４１）とは、銅フタロシアニンであるものにできる。
【００４９】
また、請求項６に記載の発明では、請求項１〜請求項５に記載の有機ＥＬ表示装置において、表示領域（１１０）に形成された有機ＥＬ素子（６０）のみが、封止部材（７０）によって封止されており、封止部材（７０）はその周辺部を表示領域（１１０）に接続するものであり、この封止部材が接続されている部位には、陰極（５０）と有機層（４１）が存在していることを特徴としている。
【００５０】
通常、有機ＥＬ素子は水分に弱いため、有機ＥＬ膜を覆うように缶封止などの封止構造を設け、有機ＥＬ膜を水分から保護するようにしている。
【００５１】
本発明では、有機ＥＬ膜（４０）を表示させたい必要な部分のみに形成しているので、封止構造もこの範囲のみで済み、ミラー機能を持つ領域の全面に封止構造を設ける場合よりも安価になる。
【００５３】
なお、上記各手段の括弧内の符号は、後述する実施形態に記載の具体的手段との対応関係を示す一例である。
【発明を実施するための最良の形態】
【００５４】
以下、本発明の実施形態について図に基づいて説明する。なお、以下の各図および上記した各図相互において、互いに同一もしくは均等である部分には、図中、同一符号を付してある。
【００５５】
図１は、本発明の実施形態に係るインナーミラーとしてのミラー機能を備える有機ＥＬ表示装置１００の概略構成を示す図であり、（ａ）は正面図、（ｂ）は（ａ）中のＡ−Ａ線に沿った概略断面図である。
【００５６】
この有機ＥＬ表示装置１００は、ミラーハウジング１０を備え、このミラーハウジング１０の前面開口部１１には、透明なガラス基板２０がはめ込まれている。このガラス基板１０は、インナーミラーの外形形状に分断されたものであり、このガラス基板２０の前面開口部１１から露出する面の全域が、ミラー機能を持つ領域として構成されている。
【００５７】
透明なガラス基板２０の背面の表示領域１１０に相当する位置には、透明電極としての陽極３０が形成されている。この陽極３０は、たとえばＩＴＯ（インジウムチンオキサイド）などからなる透明な導電膜からなる。
【００５８】
この陽極３０の背面には、正孔注入性材料からなる正孔注入層４１が形成されている。本例では、正孔注入層４１は、銅フタロシアニン（ＣｕＰｃ）からなるものであり、図２に示されるような分光透過率特性を示し薄青色に着色されている。
【００５９】
本例の正孔注入層４１を陽極３０に合わせて表示領域１１０のみに形成した場合、１００ｃｄ／ｍ2の白色光が透過した時、その透過後の光と透過前の光のと色差が４６．４と大きく変わり、表示領域１１０とそれ以外のミラー機能を持たせる非表示ミラー領域１２０との境界部分において見え方に差が生じて視認性を悪くしてしまう。一般的に、上記色差が５以上変化すると人間の視覚特性上、光の色の違いが認識できる。
【００６０】
そこで、本実施形態では、図１に示されるように、その色差を無くすために、当該色差が５以上変化する有機層である正孔注入層４１が、ミラー機能を持つ領域の全面に形成されている。それにより、表示領域１１０と非表示ミラー領域１２０との色差を５以下にすることができ、その境界が認識されなくなる。
【００６１】
また、正孔注入層４１の背面の表示領域１１０に相当する位置には、正孔輸送層４２、発光層４３、電子輸送層４４、電子注入層４５が順に形成されている。これら、正孔輸送層４２、発光層４３、電子輸送層４４、電子注入層４５は、通常、有機ＥＬ素子に採用することのできる材料を用い蒸着法によって形成されている。
【００６２】
つまり、有機ＥＬ表示装置１００においては、表示領域１１０のみに、正孔注入層４１、正孔輸送層４２、発光層４３、電子輸送層４４、電子注入層４５が積層されてなる有機ＥＬ膜４０が形成されている。
【００６３】
ここで限定するものではないが、たとえば、正孔輸送層４２としては、トリフェニルアミン４量体などの正孔輸送性材料を採用でき、発光層４３としては、トリフェニルアミン４量体やアダマンタン誘導体などからなるホスト材料にルブレンやペリレンなどの蛍光色素としてのドーパント材料を添加したものを採用できる。
【００６４】
また、電子輸送層４４としては、アルミニウムキノレート（Ａｌｑ３）などの電子輸送性材料を採用することができる。なお、電子注入層４５はフッ化リチウムなどからなり有機層ではない場合が多いが、ここでは、有機ＥＬ膜４０に含む。
【００６５】
ここで、正孔注入層４１を除く正孔輸送層４２、発光層４３、電子輸送層４４、電子注入層４５を蒸着で部分的に成膜する場合、通常マスクなどを使って必要な部分のみに有機層を成膜するが、必要の無い部分はマスク上に有機層が成膜されることになり、材料費のコストダウンは期待できない。
【００６６】
本実施形態では、部分的に成膜が必要な工程では、図３に示されるように、成膜したい領域に他のガラス基板２０が重ならないような位置関係にて多段にガラス基板２０とマスクＭ１を配置して成膜する。それにより、多面取りと同じ効果が得られるとともに、成膜材料の利用効率が向上しコストダウンを図ることができる。
【００６７】
また、正孔輸送層４２、発光層４３、電子輸送層４４、電子注入層４５を蒸着で部分的に成膜するにあたって、蒸着に使用されるマスクを層ごとに分けて使用し、各層の成膜後にマスクに付着した有機材料を掻き取って再利用しても良い。
【００６８】
また、図１に示される有機ＥＬ表示装置１００では、電子注入層４５の背面にアルミニウムなどからなる陰極５０が形成されている。この陰極５０は、本有機ＥＬ表示装置１００においてインナーミラーの鏡面としての機能も合わせ持つため、ガラス基板１におけるミラー機能を持つ領域の全面に形成されている。
【００６９】
このように、有機ＥＬ膜４０を陽極３０と陰極５０とで挟んでなる有機ＥＬ素子６０が、表示領域１１０に形成されている。そして、図１に示されるように、陰極５０の背面には、有機ＥＬ素子６０のみを覆うように封止缶７０が設けられている。
【００７０】
この封止缶７０は、樹脂やガラスまたは金属などからなるもので接着などにより固定されており、有機ＥＬ素子６０における有機ＥＬ膜４０を封止して外気から保護するための封止部材として構成されたものである。
【００７１】
このような有機ＥＬ一体型インナーミラーとしての有機ＥＬ表示装置１００においては、表示領域１１０には、車両に搭載されたカメラにより検出された車両周辺画像や、各種の車両情報が有機ＥＬ素子６０によって表示される。その表示のオンオフは、たとえば運転者のスイッチ操作などによって行われる。
【００７２】
以下、この有機ＥＬ表示装置１００の動作について説明する。有機ＥＬ表示装置１００の表示領域１１０の表示がオフ状態（非表示状態）の時は、陰極５０の全面が後写鏡として機能し、後方視界像を反射して運転者の目に到達させる。
【００７３】
一方、有機ＥＬ表示装置１００の表示領域１１０の表示をオン状態（表示状態）にすると、表示領域１１０内に画像が表示され、この画像はガラス基板２０を透過して運転者の目に到達する。このとき表示領域１１０以外の非表示ミラー領域１２０は後写鏡として機能し、後方視界像を反射する。
【００７４】
ところで、本実施形態によれば、有機ＥＬ膜４０を陽極３０と陰極５０とで挟んでなる有機ＥＬ素子６０における陰極５０の反射を利用してミラー機能を持たせるようにした有機ＥＬ表示装置１００において、ミラー機能を持つ領域のうち有機ＥＬ素子６０によって表示が行われる表示領域１１０のみに有機ＥＬ膜４０が形成されて表示可能な素子構成となっているとともに、表示領域１１０以外のミラー機能を持たせる非表示ミラー領域１２０には、陰極５０が形成されていることを特徴とする有機ＥＬ表示装置１００が提供される。
【００７５】
それによれば、ミラー機能を持つ領域のうち有機ＥＬ素子６０によって表示が行われる表示領域１１０のみに有機ＥＬ膜４０を形成すればよく、表示領域１１０以外の領域には有機ＥＬ膜４０を形成しなくてもよい。
【００７６】
そのため、上記図３などを参照して述べた成膜方法を採用することにより、ミラー機能を持つ領域の全面に有機ＥＬ膜４０を形成する場合に比べて安価な構成とすることができる。
【００７７】
また、ミラー機能を持つ領域の全面において陰極５０自体が鏡面として機能するため、表示領域１１０と非表示ミラー領域１２０との境界の違和感は、ほとんどなくなる。
【００７８】
したがって、本実施形態の有機ＥＬ表示装置１００によれば、全面にミラー機能を持たせるとともに一部を表示領域１１０として用いる表示装置において、安価な構成を実現するとともに、表示領域１１０と非表示ミラー領域１２０との境界の違和感を低減することができる。
【００７９】
また、上述した図１に示される例では、有機ＥＬ表示装置１００において、有機ＥＬ膜４０は、分光透過率の波長依存性が不均一である有機層として銅フタロシアニンからなる正孔注入層４１を有している。
【００８０】
そして、この場合、本例では、ミラー機能を持つ領域のうち有機ＥＬ素子６０によって表示が行われる表示領域１１０のみに有機ＥＬ膜４０が形成されて表示可能な素子構成となっているとともに、表示領域１１０以外のミラー機能を持たせる非表示ミラー領域１２０には、分光透過率の波長依存性が不均一である有機層としての正孔注入層４１と陰極５０とが積層されて形成されている。
【００８１】
この図１に示される例によれば、表示領域１１０のみに有機ＥＬ膜４０を形成すればよく、表示領域１１０以外の領域には有機ＥＬ膜４０のうちの分光透過率の波長依存性が不均一である有機層４１のみを形成すればよく、その他の正孔輸送層４２、発光層４３、電子輸送層４４、電子注入層４５は形成しなくてもよい。
【００８２】
そのため、上記図３などを参照して述べた成膜方法を採用することにより、ミラー機能を持つ領域の全面に有機ＥＬ膜４０を形成する場合に比べて安価な構成とすることができる。
【００８３】
また、図１に示される例でも、上述したように、ミラー機能を持つ領域の全面において陰極５０自体が鏡面として機能するため、表示領域１１０と非表示ミラー領域１２０との境界の違和感は、ほとんどなくなる。
【００８４】
また、本例では、有機ＥＬ膜４０が、分光透過率の波長依存性が不均一である有機層としての銅フタロシアニンからなる正孔注入層４１を有しており、この正孔注入層４１は、上述したように、透過率に波長依存性があるものであり（上記図２参照）、薄青色の層である。
【００８５】
その場合、有機ＥＬ膜４０を形成した表示領域１１０と陰極５０のみを形成した非表示ミラー領域１２０とに分けた場合、これら両領域では、色の違いが生じる。
【００８６】
たとえば、上述したように、銅フタロシアニンからなる正孔注入層４１の場合、表示領域１１０と非表示ミラー領域１２０とでは、色差が４６．４と大きく変わり、これら両領域の境界に違和感が生じる。
【００８７】
このような場合、本例のように、有機ＥＬ膜４０を構成する層の中で色の違いの原因となる分光透過率の波長依存性がある正孔注入層４１を、ミラー機能を持つ領域の全面に形成することにより、上記両領域の境界の違和感は改善される。
【００８８】
つまり、図１に示される本例のような構成とした有機ＥＬ表示装置によっても、安価な構成を実現するとともに、表示領域１１０と非表示ミラー領域１２０との境界の違和感を低減することができる。
【００８９】
もう少し、本例について具体的にいうと、鏡面として利用する陰極５０と薄青色に着色された正孔注入層４１以外の層、すなわち陽極３０、正孔輸送層４２、発光層４３、電子輸送層４４、電子注入層４５は、無色透明なので、有機ＥＬ表示装置１００の表示をオフにした状態でも、表示領域１１０の境界は見えることは無く、後方視認時に違和感を感じることは無い。
【００９０】
なお、本実施形態において、有機ＥＬ膜４０を構成する層の中で色の違いの原因となる分光透過率の波長依存性がある有機層が存在しない場合には、非表示ミラー領域１２０には、正孔注入層４１は形成せずに陰極５０のみ形成してもよい。その場合の効果は、上述の通りである。
【００９１】
ここで、有機ＥＬ膜４０のうち分光透過率の波長依存性が不均一である有機層とは、上記銅フタロシアニンからなる正孔注入層４１以外のものでもよい。
【００９２】
具体的には、当該有機層を白色光が透過したとき、その透過後の光と透過前の光との色差が５以上変化するものであればよい。もちろん、上記銅フタロシアニンからなる正孔注入層４１も、このようなものである。
【００９３】
この色差に関する構成は、人間の視覚特性を考慮したものである。一般的に、色差が５以上変化すると人間の視覚特性上、光の色の違いが認識できる。
【００９４】
そこで、上記色差が５以上変化する有機層４１をミラー機能を持つ領域の全面に形成することにより、表示領域１１０と非表示ミラー領域１２０との色差を５以下にすることができ、その境界が認識されなくなる。
【００９５】
さらに、有機ＥＬ膜４０のうち分光透過率の波長依存性が不均一である有機層４１とは、可視光領域における分光透過率のうち最小値が最大値の９０％以下であるものであればよい。もちろん、上記銅フタロシアニンからなる正孔注入層４１も、このようなものである。
【００９６】
この分光透過率の最小値・最大値に関する構成も、人間の視覚特性を考慮したものである。本発明者らの検討によれば、可視光領域における分光透過率のうち最小値が最大値の９０％以下であると、透過後の光と透過前の光との色差が５以上に大きくなる。
【００９７】
本発明者らは、シミュレーションにより分光透過率と色差との関係について調査を行った。限定するものではないが、その一例を図４、図５に示す。
【００９８】
図４は、可視光領域における分光透過率の波長依存性が均一な場合と、部分的に変化する場合の一例を示す図である。図４では、分光透過率が可視光領域全体で１と均一である場合と、５８０ｎｍ〜７８０ｎｍの領域でのみ０．９、０．８、０．７、……とだんだん低くなっている場合とを示している。
【００９９】
つまり、図４において、後者の５８０ｎｍ〜７８０ｎｍの領域でのみ０．９、０．８、０．７、……とだんだん低くなっている場合は、可視光領域における分光透過率のうち最小値が最大値の９０％、８０％、７０％となっている場合に相当する。
【０１００】
そして、図５は、この図４に示される５８０ｎｍ〜７８０ｎｍの領域の分光透過率と、透過後の光と透過前の光との色差との関係を計算して求めた結果を示す図である。図５に示されるように、上記色差を５以内にするためには、５８０ｎｍ〜７８０ｎｍの領域での分光透過率が９０％以上となる必要があることがわかった。
【０１０１】
そのため、可視光領域における分光透過率のうち最小値が最大値の９０％以下である有機層４１をミラー機能を持つ領域の全面に形成することにより、表示領域１１０と非表示ミラー領域１２０との色差を５以下にすることができ、その境界が認識されなくなる。
【０１０２】
また、本実施形態の有機ＥＬ表示装置１００においては、表示領域１１０に形成された有機ＥＬ素子６０のみが、封止部材７０によって封止され保護されていることを特徴としている。
【０１０３】
通常、有機ＥＬ素子は水分に弱いため、有機ＥＬ膜を覆うように缶封止などの封止構造を設け、有機ＥＬ膜を水分から保護するようにしている。
【０１０４】
本実施形態では、有機ＥＬ膜４０を表示させたい必要な部分のみに形成しているので、封止構造もこの範囲のみで済み、ミラー機能を持つ領域の全面に封止構造を設ける場合よりも安価になる。
【０１０５】
また、図１に示されるように、本有機ＥＬ表示装置１００では、非表示ミラー領域１２０は表示領域１１０よりも広いものにできる。
【０１０６】
また、本実施形態の有機ＥＬ表示装置１００は、陰極５０の鏡面反射を利用する構造なので、従来問題になっていた陰極の反射防止のために使用していた高価な円偏光板が不要になる。
【０１０７】
そして、円偏光板を省略した分、透過率が向上することから有機ＥＬ素子６０の表示輝度を落とすことができ、素子の寿命が向上する。また、同時に部品削減による大幅なコストダウンも期待できる。
【０１０８】
また、上述したように、半透過鏡を用いた従来の後写鏡（上記図６や図７参照）では、画面の前面に半透過鏡が配置されており、表示器の表示輝度を高くする必要があるため、表示器として液晶モニターを使用した場合、光源の寿命を短くしてしまうと言う問題がある。
【０１０９】
それに対して、本実施形態の有機ＥＬ表示装置１００では、有機ＥＬ素子６０の有機ＥＬ膜４０から発せられる光は、透明な陽極３０およびガラス基板２０を介して取り出される。そのため、半透過鏡を使用する場合に比べて、表示輝度を落とすことができ、このことからも素子寿命の向上が図れる。
【０１１０】
また、上記図３などを参照して述べた成膜方法の例は、低分子有機ＥＬを蒸着によって成膜する例であるが、高分子有機ＥＬをインクジェット法によって形成するものであってもよい。
【０１１１】
その場合は、全面成膜を必要とする範囲のみ使用する材料によって蒸着、あるいはインクジェット法により形成しておき、表示に必要な範囲の高分子有機ＥＬ層をインクジェット法にて形成することにより同様のコストダウンが可能である。
【０１１２】
（他の実施形態）
なお、有機ＥＬ素子６０の陽極３０、有機ＥＬ膜４０、陰極５０としては、陽極が透明電極、陰極がミラー機能を有するものであれば、通常の有機ＥＬ素子に採用できる材料を適宜採用することができる。
【０１１３】
また、上記実施形態に示した有機ＥＬ表示装置は、車両のインナーミラー（後写鏡）に用途が限定されるものでないことは、いうまでもない。
【０１１４】
要するに、本発明は、有機ＥＬ膜４０を陽極３０と陰極５０とで挟んでなる有機ＥＬ素子６０を備え、透明なガラス基板２０に有機ＥＬ素子６０の陰極５０を形成した部位をミラー機能を持つ領域（ミラー面）とした有機ＥＬ表示装置であれば、適用できるものである。
【０１１５】
そして、このような有機ＥＬ表示装置において、ミラー面の表示領域１１０のみに有機ＥＬ膜６０が形成されて表示可能な素子構成となっているとともに、表示領域１１０以外のミラー面の部分には、陰極５０が形成されていることを特徴としたものであり、上記した各形態以外にも、適宜設計変更が可能である。
【図面の簡単な説明】
【０１１６】
【図１】本発明の実施形態に係る有機ＥＬ表示装置の概略構成を示す図であり、（ａ）は正面図、（ｂ）は（ａ）中のＡ−Ａ概略断面図である。
【図２】銅フタロシアニンの分光透過率特性を示す図である。
【図３】上記実施形態に係る有機ＥＬ膜の部分的な成膜方法を示す概略断面図である。
【図４】可視光領域における分光透過率の波長依存性が均一な場合と部分的に変化する場合の一例を示す図である。
【図５】上記図４に示される５８０ｎｍ〜７８０ｎｍの領域の分光透過率と、透過後の光と透過前の光との色差との関係を示す図である。
【図６】モニター内蔵後写鏡の一般的な従来構造を示す図であり、（ａ）は正面図、（ｂ）は概略断面図である。
【図７】モニター画面部分と非表示ミラー領域との境界にぼかし部を設けたモニター内蔵後写鏡の従来構造を示す図であり、（ａ）は正面図、（ｂ）は概略断面図である。
【図８】本発明者らが試作したミラー機能を備える有機ＥＬ表示装置の概略構成図であり、（ａ）は正面図、（ｂ）は概略断面図である。
【図９】上記図８に示される試作品における視認性悪化の原因を示す図である。
【符号の説明】
【０１１７】
３０…陽極、４０…有機ＥＬ膜、４１…正孔注入層、４２…正孔輸送層、
４３…発光層、４４…電子輸送層、４５…電子注入層、５０…陰極、
６０…有機ＥＬ素子、７０…封止部材としての封止缶、１１０…表示領域、
１２０…非表示ミラー領域。
【図１】
0004686981.tif 000002
【図２】
0004686981.tif 000003
【図３】
0004686981.tif 000004
【図４】
0004686981.tif 000005
【図５】
0004686981.tif 000006
【図６】
0004686981.tif 000007
【図７】
0004686981.tif 000008
【図８】
0004686981.tif 000009
【図９】
0004686981.tif 000010